【手続補正書】
【提出日】平成22年6月25日(2010.6.25)
【手続補正１】
【補正対象書類名】特許請求の範囲
【補正対象項目名】全文
【補正方法】変更
【補正の内容】
【特許請求の範囲】
【請求項１】
複数の血管を含む生物学的な脈管構造の画像から微小血管密度（ＭＶＤ）測定値を獲得する方法であって、該方法は、
複数のビンのそれぞれに対して該画像の関心のある領域を分析する行為であって、該複数のビンのそれぞれは、所定の範囲の血管サイズと関連付けられる、行為を包含し、該関心のある領域を分析する行為は、
該血管である対象のそれぞれの部分と関連付けられるサイズに基づいて、該関心のある領域において識別された該任意の血管である対象のその部分が、該複数のビンのどれに属するかを決定し、該部分が属する該複数のビンのうちの対応するビンと該血管である対象の各部分を関連付ける行為と、
該複数のビンのそれぞれに対して少なくとも１つの測定値を計算する行為であって、該少なくとも１つの測定値は、該それぞれのビンと関連付けられる該血管である対象の部分の該ＭＶＤと関連付けられる、行為と
を包含する、方法。
【手続補正２】
【補正対象書類名】明細書
【補正対象項目名】００１９
【補正方法】変更
【補正の内容】
【００１９】
本発明の一定の局面が、実施例および図を含む以下の部分でさらに詳細に記述される。サイズに基づいて血管を分類するために使用される分析技術は、サイズに基づいて他の管状体構造を分類するために使用され得るということが理解されるべきである。管状の構造（例えば、血管）が、サイズに基づいて分類されると、関心のある異なるパラメータに対して獲得された関連付けられる値またはスコアもまた、分類および分析され得る。この分類および分析の局面は、例えば、本明細書において記述されるように自動化され得る。
例えば、本発明は、以下の項目を提供する。
（項目１）
複数の血管を含む生物学的な脈管構造の画像から微小血管密度（ＭＶＤ）測定値を獲得する方法であって、該方法は、
複数のビンのそれぞれに対して該画像の関心のある領域を分析するアクトであって、該複数のビンのそれぞれは、所定の範囲の血管サイズと関連付けられ、該関心のある領域を分析するアクトは、
血管である対象のそれぞれの部分と関連付けられるサイズに基づいて、該関心のある領域において識別された該任意の血管である対象のその部分が、該複数のビンのどれに属するかを決定し、該部分が属する該複数のビンのうちの対応するビンと該血管である対象の各部分を関連付けるアクトと、
該複数のビンのそれぞれに対して少なくとも１つの測定値を計算するアクトであって、該少なくとも１つの測定値は、該それぞれのビンと関連付けられる該血管である対象の部分の該ＭＶＤと関連付けられる、アクトと
を含む、関心のある領域を分析するアクト
を包含する、方法。
（項目２）
上記少なくとも１つの測定値を計算するアクトは、上記複数のビンに対して、上記それぞれのビンと関連付けられる上記血管である対象の部分の血管範囲を計算するアクトを含む、項目１に記載の方法。
（項目３）
上記少なくとも１つの測定値を計算するアクトは、上記複数のビンに対して、上記それぞれのビンと関連付けられる上記血管である対象の部分に存在する血管の数を計算するアクトを含む、項目１に記載の方法。
（項目４）
上記関心のある領域を分析するアクトは、該関心のある領域を複数の範囲に分割するアクトを含み、そして、上記少なくとも１つの測定値を計算するアクトは、上記複数のビンのそれぞれに対して該複数の範囲のそれぞれに対する少なくとも１つの測定値を計算するアクトを含み、該少なくとも１つの測定値は、該それぞれの範囲において位置を特定された血管である対象の上記ＭＶＤと関連付けられる、項目１に記載の方法。
（項目５）
上記関心のある領域を複数の範囲に分割するアクトは、上記複数のビンのそれぞれに対して、該関心のある領域を複数の範囲に分割するアクトを含み、該複数のビンのそれぞれに対する該複数の範囲のサイズは、各それぞれのビンと関連付けられるサイズ範囲に基づいて選択される、項目４に記載の方法。
（項目６）
上記複数のビンは、階層的に構成され、そして、該階層における該複数のビンのそれぞれは、連続的により小さくなる血管サイズの範囲と関連付けられ、そして、該複数のびんのそれぞれに対する該複数の範囲のそれぞれのサイズは、上記対応する範囲の血管のサイズと共に減少する、項目５に記載の方法。
（項目７）
複数の血管を含む生物学的な脈管構造の画像から微小血管密度（ＭＶＤ）測定値を自動的に獲得する方法であって、該方法は、
該画像における関心のある領域における複数の血管領域を自動的に識別するアクトと、
該複数の血管領域のそれぞれと関連付けられる血管サイズを自動的に決定するアクトと、
それぞれの血管領域と関連付けられる血管サイズに基づいて、複数のビンのうちの１つと該複数の血管領域のそれぞれを自動的に関連付けるアクトと、
該複数のビンのそれぞれに対して、該それぞれのビンと関連付けられる血管領域の該ＭＶＤと関連付けられる少なくとも１つの測定値を自動的に計算するアクトと
を包含している、方法。
（項目８）
上記複数の血管領域を自動的に識別するアクトは、上記関心のある領域を血管領域と非血管領域とにセグメント化するアクトを含む、項目７に記載の方法。
（項目９）
上記血管サイズを自動的に決定するアクトは、上記複数の血管領域のそれぞれが、それぞれの半径でラベル付けされるように、該複数の血管領域について半径でのラベル付けを行うアクトを含む、項目８に記載の方法。
（項目１０）
上記複数のビンのそれぞれは、それぞれの半径範囲と関連付けられ、そして、該複数のビンのうちの１つと上記複数の血管領域のそれぞれを自動的に関連付けるアクトは、該複数の血管領域のそれぞれを、その内に該それぞれの半径がある該半径範囲を有する該複数のビンのうちのそれぞれのビンと関連付けるアクトを含む、項目９に記載の方法。
（項目１１）
上記少なくとも１つの測定値を計算するアクトは、上記複数のビンのそれぞれに対して、それぞれのビンと関連付けられる血管である対象の血管範囲を計算するアクトを含む、項目１０に記載の方法。
（項目１２）
上記少なくとも１つの測定値を計算するアクトは、上記複数のビンのそれぞれに対して、それぞれのビンと関連付けられる血管である対象の部分に存在する血管の数を計算するアクトを含む、項目１０に記載の方法。
（項目１３）
上記関心のある範囲を複数の範囲に分割するアクトをさらに包含し、上記少なくとも１つの測定値を計算するアクトは、上記複数のビンのそれぞれに対する該複数の範囲のそれぞれに対する少なくとも１つの測定値を計算するアクトを含み、該少なくとも１つの測定値は、それぞれの範囲において特定された上記血管である対象の上記ＭＶＤに関連付けられる、項目１０に記載の方法。
（項目１４）
上記関心のある領域を複数の範囲に分割するアクトは、上記複数のビンのそれぞれに対して、該関心のある領域を複数の範囲に分割するアクトを含み、該複数のビンのそれぞれに対する該複数の範囲のサイズは、各それぞれのビンと関連付けられるサイズ範囲に基づいて選択される、項目１３に記載の方法。
（項目１５）
上記複数のビンは、階層的に構成され、そして、該階層における該複数のビンのそれぞれは、連続的により小さくなる血管サイズの範囲と関連付けられ、そして、該複数のビンのそれぞれに対する該複数の範囲のそれぞれのサイズは、対応する範囲の血管のサイズと共に減少する、項目１４に記載の方法。
（項目１６）
１つ以上のプロセッサにおいて実行することができる命令を符号化するコンピュータ読み取り可能な媒体であって、該命令は、実行されたときに、複数の血管を含む生物学的な脈管構造の画像から微小血管密度（ＭＶＤ）測定値を自動的に獲得する方法を実行し、該方法は、
該画像における関心のある領域における複数の血管領域を自動的に識別するアクトと、
該複数の血管領域のそれぞれと関連付けられる血管サイズを自動的に決定するアクトと、
該それぞれの血管領域と関連付けられる血管サイズに基づいて、複数のビンのうちの１つと該複数の血管領域のそれぞれを自動的に関連付けるアクトと、
該複数のビンのそれぞれに対して、それぞれのビンと関連付けられる血管領域の該ＭＶＤと関連付けられる少なくとも１つの測定値を自動的に計算するアクトと
を包含している、コンピュータ読み取り可能な媒体。
（項目１７）
上記複数の血管領域を自動的に識別するアクトは、上記関心のある領域を血管領域と非血管領域とにセグメント化するアクトを含む、項目１６に記載のコンピュータ読み取り可能な媒体。
（項目１８）
上記血管サイズを自動的に決定するアクトは、上記複数の血管領域のそれぞれが、それぞれの半径でラベル付けされるように、該複数の血管領域に半径でのラベル付けを行うアクトを含む、項目１７に記載のコンピュータ読み取り可能な媒体。
（項目１９）
上記複数のビンのそれぞれは、それぞれの半径範囲と関連付けられ、そして、該複数のビンのうちの１つと上記複数の血管領域のそれぞれを自動的に関連付けるアクトは、該複数の血管領域のそれぞれを、その内に該それぞれの半径がある該半径範囲を有する該複数のビンのうちのそれぞれのビンと関連付けるアクトを含む、項目１８に記載のコンピュータ読み取り可能な媒体。
（項目２０）
上記少なくとも１つの測定値を計算するアクトは、上記複数のビンのそれぞれに対して、それぞれのビンと関連付けられる血管である対象の部分の血管範囲を計算するアクトを含む、項目１９に記載のコンピュータ読み取り可能な媒体。
（項目２１）
上記少なくとも１つの測定値を計算するアクトは、上記複数のビンのそれぞれに対して、それぞれのビンと関連付けられる血管である対象の部分に存在する血管の数を計算するアクトを含む、項目１９に記載のコンピュータ読み取り可能な媒体。
（項目２２）
上記関心のある範囲を複数の範囲に分割するアクトをさらに包含し、少なくとも１つの測定値を計算するアクトは、上記複数のビンのそれぞれに対して、該複数の範囲のそれぞれに対する少なくとも１つの測定値を計算するアクトを含み、該少なくとも１つの測定値は、それぞれの範囲において特定された上記血管である対象の上記ＭＶＤに関連付けられる、項目１９に記載のコンピュータ読み取り可能な媒体。
（項目２３）
上記関心のある領域を複数の範囲に分割するアクトは、上記複数のビンのそれぞれに対して、該関心のある領域を複数の範囲に分割するアクトを含み、該複数のビンのそれぞれに対する該複数の範囲のサイズは、各それぞれのビンと関連付けられるサイズ範囲に基づいて選択される、項目２２に記載のコンピュータ読み取り可能な媒体。
（項目２４）
上記複数のビンは、階層的に構成され、そして、該階層における該複数のビンのそれぞれは、連続的により小さくなる血管サイズの範囲と関連付けられ、そして、該複数のビンのそれぞれに対する該複数の範囲のそれぞれのサイズは、上記対応する範囲の血管のサイズと共に減少する、項目２３に記載のコンピュータ読み取り可能な媒体。